(57)【要約】【課題】通話中の人が見えないところで、親機または子機を操作して勝手に通話録音することを防止可能なコードレス電話装置およびその制御方法の提供を目的とする。【解決手段】親機１およびこの親機１と無線により接続される子機２から構成され、音声を録音するとともに再生可能な音声録音再生機能を有するコードレス電話装置であって、親機１または子機２の一方での通話中に、他方の通話中でない親機１または子機２による通話録音操作を無効とするＣＰＵ１０を備える。親機１または子機２の一方での通話中に、他方の通話中でない親機１または子機２による通話録音操作は、無効とされるので、通話中の人が見えないところで、親機１または子機２を操作して勝手に通話録音されてしまうのを防止できる。【選択図】図１
2007221213.tif 000002
【特許請求の範囲】
【請求項１】
親機およびこの親機と無線により接続される子機から構成され、音声を録音するとともに再生可能な音声録音再生機能を有するコードレス電話装置であって、
前記親機または子機の一方での通話中に、他方の通話中でない親機または子機による通話録音操作を無効とする制御部を備えたコードレス電話装置。
【請求項２】
前記親機および子機の通話状態を示す通話状態フラグを記憶する記憶部を備え、
前記制御部は、前記記憶部に記憶された親機および子機の通話状態フラグを参照して通話中でない親機または子機による通話録音操作を無効とするものである請求項１記載のコードレス電話装置。
【請求項３】
前記親機および子機は、通話録音を指示する通話録音操作ボタンを備え、
前記制御部は、前記通話状態フラグが通話中でない親機または子機の通話録音操作ボタンによる指示を無効とするものである請求項２記載のコードレス電話装置。
【請求項４】
親機およびこの親機と無線により接続される子機から構成され、音声を録音するとともに再生可能な音声録音再生機能を有するコードレス電話装置の制御方法であって、
前記親機または子機の一方での通話中に、他方の通話中でない親機または子機による通話録音操作を無効とすることを特徴とするコードレス電話装置の制御方法。
【発明の詳細な説明】
【技術分野】
【０００１】
本発明は、音声を録音するとともに再生可能な音声録音再生機能を有するコードレス電話装置およびその制御方法に関する。
【背景技術】
【０００２】
近年、コードレス電話装置は、親機または子機により通話する音声をデジタルに変換し、フラッシュメモリ等の各録音用メモリに応答メッセージや伝言メッセージ等を記録し、再生することができる音声録音再生機能を有するものがある。また、この音声録音再生機能を有するコードレス電話装置には、携帯性および簡易性を考慮して、簡単に通話録音指定のできる通話録音専用のボタンを備えたものがある（例えば、特許文献１参照。）。
【特許文献１】特開平９−１８５７５号公報
【発明の開示】
【発明が解決しようとする課題】
【０００３】
しかしながら、従来のコードレス電話装置では、親機および子機により通話録音操作を行えるようにした場合、親機から離れている（見えない）ところで、子機により外線通話しているときに、親機の操作によって通話が録音される可能性がある。このように、他人により親機側で勝手に通話録音操作をされると、離れている子機の通話者が知らない間に録音されることになり、不愉快な思いをしたり、プライバシーが保護できなかったりという問題点を有している。逆に、親機での通話中に、子機の操作により勝手に通話録音されることも考えられる。
【０００４】
そこで、本発明においては、通話中の人が見えないところで、親機または子機を操作して勝手に通話録音することを防止可能なコードレス電話装置およびその制御方法を提供することを目的とする。
【課題を解決するための手段】
【０００５】
上記課題を解決するため、本発明のコードレス電話装置は、親機およびこの親機と無線により接続される子機から構成され、音声を録音するとともに再生可能な音声録音再生機能を有するコードレス電話装置であって、親機または子機の一方での通話中に、他方の通話中でない親機または子機による通話録音操作を無効とする制御部を備えたことを特徴とする。
【発明の効果】
【０００６】
本発明によれば、親機または子機の一方での通話中に、他方の通話中でない親機または子機による通話録音操作が無効とされるので、通話中の人が見えないところで、親機または子機を操作して勝手に通話録音されてしまうことを防止することが可能となる。
【発明を実施するための最良の形態】
【０００７】
本願の第１の発明は、親機およびこの親機と無線により接続される子機から構成され、音声を録音するとともに再生可能な音声録音再生機能を有するコードレス電話装置であって、親機または子機の一方での通話中に、他方の通話中でない親機または子機による通話録音操作を無効とする制御部を備えたコードレス電話装置としたものであり、親機または子機の一方での通話中に、他方の通話中でない親機または子機による通話録音操作が無効とされるので、通話中の人が見えないところで、親機または子機を操作して勝手に通話録音することを防止することが可能となる。
【０００８】
本願の第２の発明は、上記第１の発明において、親機および子機の通話状態を示す通話状態フラグを記憶する記憶部を備え、制御部は、記憶部に記憶された親機および子機の通話状態フラグを参照して通話中でない親機または子機による通話録音操作を無効とするものであるコードレス電話装置としたものであり、親機または子機が通話状態となると、親機および子機の通話状態を示す通話状態フラグが記憶部に記憶され、この記憶部に記憶された親機および子機の通話状態フラグを参照して通話中でない親機または子機による通話録音操作が無効とされるので、親機または子機の一方での通話中に、通話中の人が見えないところで、親機または子機を操作して勝手に通話録音することを防止することが可能となる。
【０００９】
本願の第３の発明は、上記第２の発明において、親機および子機は、通話録音を指示する通話録音操作ボタンを備え、制御部は、通話状態フラグが通話中でない親機または子機の通話録音操作ボタンによる指示を無効とするものであるコードレス電話装置としたものであり、親機または子機が通話状態となると、親機および子機の通話状態を示す通話状態フラグが記憶部に記憶され、この記憶部に記憶された親機および子機の通話状態フラグを参照して通話中でない親機または子機の通話録音操作ボタンによる指示が無効とされるので、親機または子機の一方での通話中に、通話中の人が見えないところで、親機または子機の通話録音操作ボタンを操作して勝手に通話録音することを防止することが可能となる。
【００１０】
本願の第４の発明は、親機およびこの親機と無線により接続される子機から構成され、音声を録音するとともに再生可能な音声録音再生機能を有するコードレス電話装置の制御方法であって、親機または子機の一方での通話中に、他方の通話中でない親機または子機による通話録音操作を無効とすることを特徴とするコードレス電話装置の制御方法としたものであり、親機または子機の一方での通話中に、他方の通話中でない親機または子機による通話録音操作が無効とされるので、通話中の人が見えないところで、親機または子機を操作して勝手に通話録音することを防止することが可能となる。
【００１１】
以下、本発明の実施の形態について、図面を参照して説明する。
【００１２】
図１は本発明の実施の形態におけるコードレス電話装置のブロック図である。
【００１３】
図１において、本発明の実施の形態におけるコードレス電話装置は、ファクス機能付き親機１と、この親機１と無線により接続される子機２とから構成される。
【００１４】
親機１は、図１に示すように、親機１の全体を制御する制御部としての中央処理装置（ＣＰＵ）１０と、各種制御プログラム等を記憶したリードオンリメモリ（ＲＯＭ）１１と、各種データを一時記憶するランダムアクセスメモリ（ＲＡＭ）１２と、通話音声がデジタルに変換されて記憶されるフラッシュメモリ１３と、公衆回線３に接続する回線制御部１４と、入力装置１５と、表示装置１６と、子機２と無線により通信するための無線制御部１７とを備える。
【００１５】
図２は本発明の実施の形態におけるコードレス電話装置の親機の外観図である。
【００１６】
また、親機１は、図２に示すように、親機本体１ａと、受話器１ｂとから構成される。入力装置１５は、親機本体１ａに備えられており、「ファクス」ボタン、「コピー」ボタン、「ストップ」ボタン、音量「小」「大」ボタン、「通話拒否」ボタン、ダイヤルボタン「０」〜「９」「＊」「＃」、「内線」ボタン、「キャッチ」ボタン、「保留」ボタン、「モニター」ボタン、「留守」ボタン、「聞き直し／通話録音」ボタン１５ａ、カーソルボタン、機能ボタン等から構成される。表示装置１６は、親機本体１ａに備えられてい
る。
【００１７】
一方、子機２は、図１に示すように、子機２の全体を制御する制御部としての中央処理装置（ＣＰＵ）２０と、各種制御プログラム等を記憶したリードオンリメモリ（ＲＯＭ）２１と、各種データを一時記憶するランダムアクセスメモリ（ＲＡＭ）２２と、親機１と無線により通信するための無線制御部２３と、入力装置２４と、表示装置２５とを備える。
【００１８】
図３は本発明の実施の形態におけるコードレス電話装置の子機の外観図である。
【００１９】
また、子機２は、図３に示すように、受話口２ａを備える。入力装置２４は、子機２本体に備えられており、機能ボタン「Ｆ１」「Ｆ２」２４ａ，２４ｂ、「外線」ボタン、「保留」ボタン、「切」ボタン、「内線」ボタン、ダイヤルボタン「０」〜「９」「＊」「＃」、カーソルボタン２４ｃ等から構成される。入力装置２４は、子機２本体に備えられている。
【００２０】
次に、上記コードレス電話装置の動作について説明する。
【００２１】
図４は本発明の実施の形態におけるコードレス電話装置における回線接続から通話状態フラグを立てるまでの手順を示すフローチャートである。
【００２２】
まず、親機１のＣＰＵ１０は、回線制御部１４による発呼または被呼の回線接続手順を行う（ステップＳ１００）。発呼または被呼は、親機１および子機２のいずれでも行うことが可能であるが、子機２により行う場合、この子機２は、無線制御部２３により親機１との間で通信を行い、親機１の回線制御部１４を介して公衆回線３との間で発呼または被呼を行う。
【００２３】
次に、ＣＰＵ１０は、親機１が通話中であるかどうか判断し（ステップＳ１０１）、親機１が通話中である場合には、親機１が通話中であるとして親機１の通話状態フラグをオン（ＯＮ）にする（ステップＳ１０２）。一方、親機１が通話中でない場合には、子機２が通話中であるとして子機２の通話状態フラグをオンにする（ステップＳ１０３）。なお、親機１および子機２の通話状態フラグは、ともに親機１のＲＡＭ１２に記憶されており、通常は親機１および子機２ともに通話中でないとしてそれぞれの通話状態フラグをオフにしている。
【００２４】
図５は本発明の実施の形態におけるコードレス電話装置の親機または子機での通話中にそれぞれ子機または親機へ通話を転送した場合のフローチャートであって、（ａ）は親機１から子機２へ転送した場合のフローチャート、（ｂ）は子機２から親機１へ転送した場合のフローチャートである。
【００２５】
図５の（ａ）に示すように、親機１での通話中（ステップＳ２００）、通話を子機２へ転送すると（ステップＳ２０１）、親機１のＣＰＵ１０は、子機２が通話中であるとして子機２の通話状態フラグをオンにし、親機１の通話状態フラグをオフにする（ステップＳ２０２）。一方、図５の（ｂ）に示すように、子機２での通話中（ステップＳ３００）、通話を親機１へ転送すると（ステップＳ３０１）、親機１のＣＰＵ１０は、親機１が通話中であるとして親機１の通話状態フラグをオンにし、子機２の通話状態フラグをオフにする（ステップＳ３０２）。
【００２６】
図６は本発明の実施の形態におけるコードレス電話装置の通話録音開始イベントから通話録音開始までのフローチャートである。
【００２７】
まず、親機１または子機２での通話録音開始イベント（ステップＳ４００）について説明する。
【００２８】
親機１では、通話中における「聞き直し／通話録音」ボタン１５ａの押下が通話録音開始イベントである。
【００２９】
一方、子機２では、図７に示すように、（ａ）通話中に機能ボタン「Ｆ２」２４ｂを押し、（ｂ）カーソルボタン２４ｃを上下に押して「通話録音」メニューを選択する。そして、（ｃ）カーソルボタン２４ｃの中央を押して決定し、通話録音確認画面で（ｃ）再度カーソルボタン２４ｃの中央を押して決定する。
【００３０】
図６に戻って、このような通話録音開始イベント（ステップＳ４００）が行われると、親機１のＣＰＵ１０は、通話録音開始イベントが親機１の操作であるかどうか確認し（ステップＳ４０１）、親機１の操作の場合、親機１の通話状態フラグがオンであるかどうか確認する（ステップＳ４０２）。ここで、ＣＰＵ１０は、親機１の通話状態フラグがオンの場合には、親機１で通話中であるとしてフラッシュメモリ１３への通話録音を開始する（ステップＳ４０３）。一方、ＣＰＵ１０は、親機１の通話状態フラグがオフの場合、子機２で通話中であるとして、親機１の操作を無効とし、通話録音を禁止する（ステップＳ４０４）。
【００３１】
また、ステップＳ４０１において、通話録音開始イベントが親機１の操作でない場合、この操作は子機２の操作であると判断して、子機２の通話状態フラグがオンであるかどうか確認する（ステップＳ４０５）。ここで、ＣＰＵ１０は、子機２の通話状態フラグがオンの場合には、子機２で通話中であるとしてフラッシュメモリ１３への通話録音を開始する（ステップＳ４０３）。一方、ＣＰＵ１０は、子機２の通話状態フラグがオフの場合、親機１で通話中であるとして、子機２の操作を無効とし、通話録音を禁止する（ステップＳ４０６）。
【００３２】
以上のように、本実施の形態におけるコードレス電話装置では、親機１または子機２の一方での通話中に、他方の通話中でない親機１または子機２による通話録音操作を無効とするので、親機１または子機２の一方での通話中に、他方の通話中でない親機１または子機２による通話録音操作が無効とされる。したがって、通話中の人が見えないところで、親機１または子機２を操作して勝手に通話録音されることを防止できる。
【産業上の利用可能性】
【００３３】
本発明は、音声を録音するとともに再生可能な音声録音再生機能を有するコードレス電話装置に有用である。特に、本発明は、通話中の人が見えないところで、親機または子機を操作して勝手に通話録音することを防止可能なコードレス電話装置およびその制御方法として好適である。
【図面の簡単な説明】
【００３４】
【図１】本発明の実施の形態におけるコードレス電話装置のブロック図
【図２】本発明の実施の形態におけるコードレス電話装置の親機の外観図
【図３】本発明の実施の形態におけるコードレス電話装置の子機の外観図
【図４】本発明の実施の形態におけるコードレス電話装置における回線接続から通話状態フラグを立てるまでの手順を示すフローチャート
【図５】本発明の実施の形態におけるコードレス電話装置の親機または子機での通話中にそれぞれ子機または親機へ通話を転送した場合のフローチャート
【図６】本発明の実施の形態におけるコードレス電話装置の通話録音開始イベントから通話録音開始までのフローチャート
【図７】本発明の実施の形態におけるコードレス電話装置の子機における通話録音開始手順を示すフローチャート
【符号の説明】
【００３５】
１    親機
１ａ    親機本体
１ｂ    受話器
２    子機
２ａ    受話口
３    公衆回線
１０    ＣＰＵ
１１    ＲＯＭ
１２    ＲＡＭ
１３    フラッシュメモリ
１４    回線制御部
１５    入力装置
１５ａ    「聞き直し／通話録音」ボタン
１６    表示装置
１７    無線制御部
２０    ＣＰＵ
２１    ＲＯＭ
２２    ＲＡＭ
２３    無線制御部
２４    入力装置
２４ａ    機能ボタン「Ｆ１」
２４ｂ    機能ボタン「Ｆ２」
２４ｃ    カーソルボタン
２５    表示装置
【図１】
2007221213.tif 000003
【図２】
2007221213.tif 000004
【図３】
2007221213.tif 000005
【図４】
2007221213.tif 000006
【図５】
2007221213.tif 000007
【図６】
2007221213.tif 000008
【図７】
2007221213.tif 000009